(57)【要約】  【課題】広告主の希望する広告を携帯電話端末などの携帯端末に表示可能であると共に、広告主が表示させたい広告店舗等の位置と利用者の所在地との位置関係を同一画面上に表示可能な地図情報を表示させることができる広告を提供する。  【解決手段】予め定める所在地に掲示され、広告面上に携帯端末によって読取り可能であり携帯端末が所定のＷｅｂページへ接続可能なＷｅｂページ情報を含むＱＲコードを有する広告であって、  ＱＲコードには、少なくとも広告主の所在地を特定可能な広告主情報及び広告の所在地を特定可能な所在地情報を含み、該ＱＲコードを取得した携帯端末が所定のＷｅｂページへ接続し前記広告主情報及び前記所在地情報を送信可能であり、該広告主情報および該所在地情報とから所在地情報の所在地および広告主情報の所在地を含む地図情報を取得可能とする。【選択図】図１
2008181504.tif 000002
【特許請求の範囲】
【請求項１】
予め定める所在地に掲示され、広告面上に携帯端末によって読取り可能であり携帯端末が所定のＷｅｂページへ接続可能なＷｅｂページ情報を含む二次元コードを有する広告であって、
二次元コードには、少なくとも広告主の所在地を特定する広告主情報及び広告の所在地を特定する所在地情報を特定可能な広告特定情報を含み、該二次元コードを取得した携帯端末が所定のＷｅｂページへ接続し前記広告主情報及び前記所在地情報を送信可能であり、該広告主情報および該所在地情報とから所在地情報の所在地および広告主情報の所在地を含む地図情報を取得可能なことを特徴とする広告。
【請求項２】
予め定める所在地に掲示され、広告面上に二次元コードを有し、二次元コードには少なくとも広告主の所在地を特定する広告主情報及び広告の所在地を特定する所在地情報を特定可能な広告特定情報を含み、且つ、携帯端末が二次元コードを取得することで所定のＷｅｂページへ接続し前記広告主情報及び前記所在地情報を送信可能となる複数の広告と、
前記二次元コードを取得して接続要求がなされた携帯端末からネットワークを経由して広告主情報及び所在地情報を特定可能な広告特定情報を取得すると共に、該携帯端末へ前記二次元コードの広告主情報によって特定される所定のＷｅｂページを生成可能なＷｅｂページ生成手段を有し、生成したＷｅｂページを携帯端末へ送信して表示させるＷｅｂサーバと、
地図データが格納される地図サーバと、
Ｗｅｂサーバと通信可能であり、広告主所在地データが広告主情報と紐付けて予め記憶されていると共に現在所在地データが所在地情報に紐付けて予め記憶されており、Ｗｅｂサーバから受領する広告主情報及び所在地情報に基づいてそれぞれ紐付けて記憶されている広告主所在地データおよび現在所在地データを読出し、広告主所在地データによって特定される広告主所在地及び現在所在地データによって特定される現在所在地を含む地図の範囲を特定する地図範囲特定手段を有し、地図サーバから地図範囲特定手段が特定した範囲の地図を切出し携帯端末にて表示可能な地図情報を生成する地図作成手段を有し、生成した地図情報をＷｅｂサーバへ送信する処理サーバとからなり、
Ｗｅｂサーバは、処理サーバが生成した地図情報を携帯端末へ送信し携帯端末へ該地図情報を表示させることが可能な広告地図表示システム。
【請求項３】
前記広告地図表示システムにおいて、掲示されている所在地を特定可能な所在地情報は現在所在地データであり、処理サーバには広告主所在地データが広告主情報と紐付けて予め記憶されており、地図範囲特定手段は処理サーバに記憶された広告主所在地データおよびＷｅｂサーバから取得した所在地情報とによって、広告主所在地及び現在所在地を含む地図の範囲を特定する請求項２に記載の広告地図表示システム。
【請求項４】
前記処理サーバの地図作成手段による地図情報が、地図の中心に所在地情報によって取得した所在地が位置する地図として生成する請求項２に記載の広告地図表示システム。
【請求項５】
前記二次元コードを取得する携帯端末がGPS表示機能を有する場合には、前記広告によって得られる所在地情報を該携帯端末から得る請求項２に記載の広告地図表示システム。
【請求項６】
所定のＷｅｂページへ接続可能なＷｅｂページ情報を含む二次元コードが、ＱＲコードかならる請求項１に記載の広告。
【請求項７】
広告面上に有する二次元コードがＱＲコードからなる請求項２乃至請求項５の何れかに記載の広告地図表示システム。
【発明の詳細な説明】
【技術分野】
【０００１】
この発明は、顧客となりうる利用者の目に付くように設置する広告にかかり、詳細には、電柱等に貼付して表示する或は立て看板のように表示する広告に関する。
【背景技術】
【０００２】
広告は顧客となりうる利用者の目に付きやすい所に、該利用者が容易に内容を把握でき且つ内容量がより多くなるようにしなければならない。
そこで従来行われてきた電柱等に貼付して表示する或は立て看板のように表示する広告では、例えば飲食店の広告を電柱に貼付する場合であれば、当該飲食店の名前、所在地、メニュー等や特徴を、文章や写真等によって印刷し、電柱に貼付して広告としていた。
そして、該広告によって広告主の店舗位置を表示させるために、該広告に店舗の位置情報や携帯電話端末サイトのアドレスなどを載せて店舗の位置を特定し地図を携帯電話端末によって表示させ、利用者の携帯電話端末に店舗の位置を示す地図情報を表示させていた。
【０００３】
この地図情報の表示は、利用者が携帯電話端末からアクセスする広告ページに、広告主の店舗位置地図を表示させるＵＲＬを掲載しておく。この表示された店舗位置地図を表示させるＵＲＬは選択される（クリックする）ことで、該ＵＲＬによって指示されたネットワークサイトのサーバにある情報を表示可能に構成される。そして、ＵＲＬによって表されるネットワークサイトのサーバ上には、予め利用者の携帯電話端末に表示可能な地図情報が記憶されている。従って、広告主は、利用者が携帯電話端末によって広告サイトを表示させると、自動的に店舗位置地図を表示させるＵＲＬを表示させ、更に利用者が該ＵＲＬを選択すると、該ＵＲＬによって表示させるネットワークサイトのサーバへアクセスして該サーバ上に記憶されている店舗の情報を、利用者の携帯電話端末上に表示させることができる。この時表示させる店舗位置地図は、中心に店舗が表示されており所定の縮尺率によって表示されている。そして、地図と共に表示させる所定箇所を選択することで、地図の縮小率を変更可能に構成されている。
このように、広告に合わせて表示させる地図の情報は、予め作成されている地図情報であり、ネットワークを経由して表示させている携帯電話端末の位置とは拘らないものであった。
一方、インターネットのポータルサイトなどにリンクされている『地図』を表示させるものには、所望の住所をネットワーク端末から入力することで、当該住所に相当する位置の地図を表示可能となっている。この地図情報の表示は、地図情報のうちからネットワーク端末から入力された住所を含む部分を切り出し、当該地図を表示していた。この際表示させる地図情報には、複数のレイヤーを持たせ、地形や道路等の情報を表す地図レイヤーに合わせて、店舗位置などを表す店舗レイヤーなど複数のレイヤー情報を重ね合わせて表示させることで、より情報量の多い地図情報を提供可能に構成されていた。
【発明の開示】
【発明が解決しようとする課題】
【０００４】
しかしながら、従来一般的に行われてきた広告では、広告主の店舗や飲食物等の情報が直接文字或は写真や図等によって表示されるため、直接的に顧客による視認は充分に行われるが、広告面積の制約により、表示できる広告情報には限りがあった。
【０００５】
又、広告面に表示されている情報は、その場所のみで有効であり、例えば地図が載っていても、実際に歩いて行く間は、該広告情報を参照することができず、地図情報が有効に利用されづらいという問題点を有した。
【０００６】
そして、携帯電話端末に表示させる画面上に、別途店舗位置地図を表示させるＵＲＬを表示させ、該ＵＲＬを選択することで店舗位置地図を携帯電話端末へ表示させ、且つ地図の表示倍率を変更できるようにしている場合でも、携帯電話端末に表示された地図では中心に店舗が位置しているので、携帯電話端末を操作している利用者の所在位置と店舗位置との関係を表示することはできないという問題点を有した。即ち、地図情報を携帯電話端末に表示させるために、地図情報のデータベースから地図情報を切出す際には、利用者の携帯電話端末の位置情報ではなく、接続したＵＲＬの携帯サイトに予め設定されている店舗位置を表す地図情報を携帯電話端末へ送信して表示させるだけとなっている。従って、店舗位置とその周辺の地図情報のみが携帯電話端末に表示されることとなり携帯電話端末の位置と店舗位置との関係を明確に地図上に表示できないという問題点を有した。
【０００７】
これら問題点に鑑み、広告主の希望する広告を携帯電話端末などの携帯端末に表示可能であると共に、広告主が表示させたい広告店舗等の位置と利用者の所在地との位置関係を同一画面上に表示可能な地図情報を表示させることができる広告を提供する。
【課題を解決するための手段】
【０００８】
そこでこの発明では、従来と同様に所定の位置に広告を掲示させ従来通りの広告を行うと共に店舗等の位置と利用者の所在している位置とを携帯端末に表示させるため、
【０００９】
予め定める所在地に掲示され、広告面上に携帯端末によって読取り可能であり携帯端末が所定のＷｅｂページへ接続可能なＷｅｂページ情報を含む二次元コードを有する広告であって、
二次元コードには、少なくとも広告主の所在地を特定する広告主情報及び広告の所在地を特定する所在地情報を特定可能な広告特定情報を含み、該二次元コードを取得した携帯端末が所定のＷｅｂページへ接続し前記広告主情報及び前記所在地情報を送信可能であり、該広告主情報および該所在地情報とから所在地情報の所在地および広告主情報の所在地を含む地図情報を取得可能なことを特徴とする広告、
【００１０】
を提供する。従って広告には、二次元コードによって少なくとも広告主の所在地を特定可能な広告主情報および、携帯端末が二次元コードを取得した広告の所在地である所在地情報を広告に載せることで、利用者が操作する携帯端末によって得られる広告量を増大させる。そして、この広告の情報の中に含まれる広告主情報および所在地情報から広告主情報に紐付けて記憶された広告主の所在地および所在地情報によって特定される携帯端末自身の所在地を携帯端末が取得する際に、一般的に行われている二次元コードに含まれたＵＲＬによって特定されるＷｅｂページから、広告主情報に紐付けて記憶された広告主の所在地および所在地情報によって特定される携帯端末自身の所在地が特定されて両所在地を含む地図情報等種々の情報を携帯端末で取得する。
そして、携帯端末自身の所在地を利用して得る情報の１つが地図情報であり、発明者は、この携帯端末の所在地を利用した地図情報を取得するシステムとして、
【００１１】
予め定める所在地に掲示され、広告面上に二次元コードを有し、二次元コードには少なくとも広告主の所在地を特定する広告主情報及び広告の所在地を特定する所在地情報を特定可能な広告特定情報を含み、且つ、携帯端末が二次元コードを取得することで所定のＷｅｂページへ接続し前記広告主情報及び前記所在地情報を送信可能となる複数の広告と、
前記二次元コードを取得して接続要求がなされた携帯端末からネットワークを経由して広告主情報及び所在地情報を特定可能な広告特定情報を取得すると共に、該携帯端末へ前記二次元コードの広告主情報によって特定される所定のＷｅｂページを生成可能なＷｅｂページ生成手段を有し、生成したＷｅｂページを携帯端末へ送信して表示させるＷｅｂサーバと、
地図データが格納される地図サーバと、
Ｗｅｂサーバと通信可能であり、広告主所在地データが広告主情報と紐付けて予め記憶されていると共に現在所在地データが所在地情報に紐付けて予め記憶されており、Ｗｅｂサーバから受領する広告主情報及び所在地情報に基づいてそれぞれ紐付けて記憶されている広告主所在地データおよび現在所在地データを読出し、広告主所在地データによって特定される広告主所在地及び現在所在地データによって特定される現在所在地を含む地図の範囲を特定する地図範囲特定手段を有し、地図サーバから地図範囲特定手段が特定した範囲の地図を切出し携帯端末にて表示可能な地図情報を生成する地図作成手段を有し、生成した地図情報をＷｅｂサーバへ送信する処理サーバとからなり、
Ｗｅｂサーバは、処理サーバが生成した地図情報を携帯端末へ送信し携帯端末へ該地図情報を表示させることが可能な広告地図表示システム、
【００１２】
を提供する。更に発明者は、所在地情報が現在所在地を表すシステムとして、
【００１３】
前記広告地図表示システムにおいて、掲示されている所在地を特定可能な所在地情報は現在所在地データであり、処理サーバには広告主所在地データが広告主情報と紐付けて予め記憶されており、地図範囲特定手段は処理サーバに記憶された広告主所在地データおよびＷｅｂサーバから取得した所在地情報とによって、広告主所在地及び現在所在地を含む地図の範囲を特定する広告地図表示システム、
【００１４】
を提供する。そして更に発明者は、取得した地図情報の生成が
【００１５】
前記処理サーバの地図作成手段による地図情報が、地図の中心に所在地情報によって取得した現在所在地が位置する地図として生成する、
【００１６】
広告地図表示システムを提供する。
【００１７】
この広告地図表示システムでは、二次元コードを読取り可能な携帯端末が広告に掲載されている二次元コードを読取りＷｅｂサーバへ送信する。Ｗｅｂサーバでは、二次元コードに記載される広告主情報および所在地情報を取得して処理サーバへ送信する。
処理サーバでは、取得した広告主情報から広告主の所在地を特定すると共に、所在地情報から広告の所在地を特定する。次いで処理サーバでは、広告主および広告の所在地２地点を含む地図情報を地図サーバから切出し携帯端末にて２地点あるいはそれ以上の複数地点を同時に表示可能な地図情報を生成する。そして生成した地図情報をＷｅｂサーバへ送信する。
Ｗｅｂサーバでは、処理サーバから受領した地図情報を携帯端末へネットワークを経由して送信する。
携帯端末では、地図情報を受領し表示することで、所在地情報の表した現在所在地および広告主情報の表す広告主の所在地を含む地図を携帯端末の表示画面に表示する。このとき、携帯端末の表示画面上には、その中心に現在所在地が表示され、他の位置に広告主の所在地が表示される。
【００１８】
そして更に、二次元コードを取得する携帯端末がＧＰＳ表示機能を有する場合には、
前記二次元コードを取得する携帯端末ＧＰＳ表示機能を有する場合には、前記広告によって得られる所在地情報を該携帯端末から得る、
ように構成することで、携帯端末から送信される情報に含まれる所在地情報が常に該携帯端末の所在地となるので、携帯端末内部のメモリ等に一度保存しておいた二次元コードを呼び出して該二次元コードによってＷｅｂサーバへ接続することで、広告があった場所から移動してしまった後にも、該二次元コードとＧＰＳ表示機能によって得た現在所在地とから適切な地図情報を取得する。
また、広告に掲載され携帯端末によって取得される二次元コードがもつＷｅｂページ情報は、携帯端末が前記Ｗｅｂサーバへ送信する前に、広告特定情報を変換可能な中間サーバへ送信し、該広告特定情報から前記Ｗｅｂサーバが広告主情報及び所在地情報として取得可能に変換させるように形成しても良い。そして、該変換を行い前記Ｗｅｂサーバが取得可能な広告主情報及び所在地情報を再び携帯端末へ送信した後携帯端末から前記Ｗｅｂサーバへ送信するか、あるいは、前記Ｗｅｂサーバへ広告主情報及び所在地情報を直接送信（出力）させるように形成させても良い。中間サーバが変換する場合には、二次元コードは、広告が掲載されている所在地情報と広告主情報とが中間サーバにおける変換によって特定可能な情報を持っていればよい。即ち、例えば、電柱に掲載する広告であれば、電柱の位置は電柱毎に異なるので、電柱番号を特定できれば、電柱に掲載されている広告の所在地情報は特定でき、中間サーバが二次元コードから得た情報によって所在地情報と広告主情報とをテーブルデータ変換によって得るなどの手法により二次元コードには電柱を特定する情報が広告特定情報として掲載されれば足りる。尚、該中間サーバは、Ｗｅｂサーバと一体化されて構成されていても良く、また、別のサーバとして設けてあっても良い。
【００１９】
更にまたこの発明では、上記各二次元コードを、規格化されており汎用化されているＱＲコードとする広告、及び、広告地図表示システムを提供する。
これにより、携帯電話等にも通常備えられている解析手段が携帯端末に備えられているので、二次元コードを解読して該コードに含まれる情報から、広告主情報及び所在地情報を専用のサーバを備える等して取得することなく、直ちに広告主情報及び所在地情報から広告主情報によって特定される所定のＷｅｂページをＷｅｂサーバが生成する。
そして、二次元コードがＱＲコードからなることで、一般化されたＱＲコードの解析プログラムが携帯電話に既に備わっているので、広告主情報及び所在地情報を特定可能な広告特定情報を取得するのに適している。
【発明の効果】
【００２０】
従って、この発明によれば、電柱に貼付する広告、バス停留場に貼付する広告、野建広告、駅広告等に表示する広告において、広告面に二次元コードを含ませることで該二次元コードを解析してＷｅｂサーバ等から情報を得ることが可能なので、広告の情報量が広告面に比し多くなるばかりでなく、広告の掲載されている現在の所在地と広告によって表される広告主の所在地とが記載された地図情報を所得可能となる。
【発明を実施するための最良の形態】
【００２１】
広告には二次元コードとしてＱＲコードを印刷または貼付されている。このＱＲコードには、ＱＲコードが印刷または貼付されている広告の掲載所在地を表す所在地情報と、広告主の所在地を特定可能な広告主情報とを含む。更にこのＱＲコードには、該ＱＲコードを読取った携帯端末が所定のＷｅｂページへ接続可能なＷｅｂページ情報を含む。従って、ＱＲコードを読取り可能な携帯端末がＱＲコードを読取り、ＱＲコードを解析し、ＱＲコードに含まれるＷｅｂページ情報に基づき所定のＷｅｂページへネットワークを介して接続要求し接続する。
【００２２】
Ｗｅｂサーバは、前記ＱＲコードを取得してＷｅｂページ情報の表すＷｅｂページへ接続要求する携帯端末とネットワークを通して接続可能である。Ｗｅｂサーバには、ＱＲコードの広告主情報によって特定される広告主の情報が広告主データとして記憶されている。該広告主データは、ＱＲコードに掲載されている広告主が複数存在するので、存在する数の広告主毎に記憶される。そして広告主データは、携帯端末から受領した広告主情報と紐付けられて記憶されている。
Ｗｅｂサーバは、携帯端末から接続要求があると接続させ、且つ接続の後相互にネットワークを介して通信可能なデータ通信インターフェースを備える。そして、携帯端末から接続要求があると携帯端末から送信される広告主情報および所在地情報を受領し、それぞれをＱＲデータ記憶域に記憶する。受領した広告主情報から広告主情報に紐付けて記憶されている広告主データを読出し、広告主データによって特定される情報を携帯端末にて表示可能に表示画面生成手段が生成し、データ通信インターフェースによって携帯端末へ送信する。このとき表示させる画面は広告主の広告ページとなり、該広告ページ上には地図情報を表示するか否かを選択させる地図表示選択フィールドを設け、携帯端末にて表示させて選択させる。勿論、地図表示選択フィールド以外に、広告主に関する他のデータ、例えば商品データを表示希望させる商品データ表示選択フィールド等の他のフィールドを表示して選択可能とさせる。尚、以下に記載する携帯端末とＷｅｂサーバとの通信は特に記載しないがデータ通信インターフェースを介して行う。
【００２３】
Ｗｅｂサーバから送信されたホームページを携帯端末が表示し、携帯端末が地図表示選択フィールドを選択して送信すると、Ｗｅｂサーバでは地図フィールド選択情報を受領する。そして、Ｗｅｂサーバでは、地図フィールド選択情報を受領することで携帯端末が地図情報の表示を希望していると判断し、既に受領し記憶しているＱＲデータ記憶域から所在地情報を読出すと共に広告主データから広告主所在地データを読出し、処理サーバへ送信する。
【００２４】
処理サーバには、広告主の希望する地点（通常は広告主の店舗所在地）を特定可能な広告主所在地データが広告主情報に紐付けて記憶されている。更に処理サーバには、広告が掲示されている地点を特定可能な現在所在地データが所在地情報に紐付けて予め記憶されている。これにより、複数の広告主はそれぞれの位置が広告主の希望する所在地として記憶されることとなり、また電柱等に複数掲示された広告もそれぞれの広告の所在地として記憶される。更に処理サーバは地図範囲特定手段および地図作成手段を備える。
【００２５】
地図範囲特定手段は、Ｗｅｂサーバから受領する広告主情報及び所在地情報に基づいてそれぞれ紐付けて記憶されている広告主所在地データおよび現在所在地データを読出す。そして、読出した広告主所在地データによって特定される広告主所在地及び現在所在地データによって特定される現在所在地を含む地図の範囲を特定し、地図作成手段へ地図範囲の情報を出力する。この地図範囲の特定は、それぞれの所在地間の距離を算出し該距離が含まれるような縮尺を予め定める複数の縮尺度から選択して行い、現在所在地が範囲の中央に位置し広告主所在地がその他に位置する地図となるように特定する。
そして、地図作成手段では地図範囲特定手段から地図範囲の情報を受領し、地図サーバに対して地図範囲特定手段が特定した地図範囲の地図情報を出力するように指示する。
【００２６】
地図サーバではこの指示に基づいて特定された範囲の地図情報を地図作成手段へ出力する。
地図作成手段では、地図サーバから受領した地図情報を、携帯端末にて表示可能な地図情報へ変換する。この時、地図情報は上方が北となるように位置し、地図中央に位置する現在所在地および他に位置する広告主所在地を、視認しやすいように星マーク等にて表示すると共にその所在地の文字データを地図に付して地図情報を作成する。
そして処理サーバでは、地図作成手段が作成した地図情報をＷｅｂサーバへ出力する。Ｗｅｂサーバでは、受領した地図情報を携帯端末へ送信する。
携帯端末では、Ｗｅｂサーバから地図情報を受領し、受領した地図情報を表示手段によって表示する。
従って、この時携帯端末に表示される地図には、その中央に現在所在地が位置され、他に広告主所在地が表示されている。
【実施例１】
【００２７】
以下にこの発明の実施例１を、図面に基づき説明する。図１はこの発明の広告を表し、図２はこの発明の広告地図表示システムを表し、図３はＷｅｂサーバを表す説明図であり、図４は地図サーバを表す説明図であり、図５は処理サーバを表す説明図であり、図６は携帯電話端末を表す説明図であり、図７は実施例のフローチャートであり、図８は携帯電話端末Ａの表示例を表す説明図であり、図９は実施例のフローチャートであり、図１０は実施例のフローチャートであり、図１１は携帯電話端末Ａの表示例を表す説明図であり、図１２は携帯電話端末Ａの表示例を表す説明図であり、図１３は携帯電話端末Ａの表示例を表す説明図であり、図１４は実施例２を表すフローチャートである。
【００２８】
１は広告である。広告１は、図１に表すように電柱に巻付け貼付される広告であり、この実施例では、電柱に表示されている公共表示部１４の上部に設けてある。広告１には、広告主が表示しようとする広告意匠である広告表示１１を表示すると共に、二次元コードを表示する。この実施例では、二次元コードとしてＱＲコード１３を例に説明する。このＱＲコード１３は、別途シール状に印刷したものを広告表示１１に掛からないように貼付して表示するが、広告表示１１と共に広告作成時に直接印刷してもよい。尚、１４は、電柱広告に既設の交通標語や住所等の公共表示部である。
ＱＲコード１３は、マトリクス２次元バーコードの一つであり、ＪＩＳ規格（JIS X 0510）やＩＳＯ規格（ISO/IEC18004）等でも規格化されている。そして、正方形状のコードの角３箇所に「回」の字型のファインダパターンと呼ばれるシンボルマークが配置されており、どの向きから読み取っても正確に情報が読み出せるように構成され、正方形状内に記載するドットの数および配置によって最大２３６４８ビットの様々なデータを表すことができる。この発明においては、ＱＲコード１３は、広告主Ｗｅｂページの情報を表す。
尚、上記実施例では、二次元コードは一般的に用いられているＱＲコードを例に用いて説明したが、二次元コードはＱＲコードに特定されるものではなく、所謂マトリックス式のものでは、ＳＰコード、ベリコード、マキシコード、ＤａｔａＭａｔｒｉｘ、ＣＯＤＥ１、ＡｚｔｅｃＣｏｄｅ、インタクタコード、カードｅ、あるいは、カラーコード等種々のものでも良く、また、所謂スタック式のものでは、ＰＤＦ４１７、Ｃｏｄｅ４９、Ｃｏｄｅ１６Ｋ、Ｃｏｄｅｂｌｏｃｋ、ＳｕｐｅｒＣｏｄｅ、Ｕｌｔｒａ Ｃｏｄｅ、ＲＳＳ Ｃｏｍｐｏｓｔｉｌｅ、あるいは、ＡｚｔｅｃＭｅｓａ等種々のものでもよい。
【００２９】
ＱＲコード１３には、Ｗｅｂサーバ２等によって管理されるＷｅｂページのＵＲＬの情報を含み、読み取った携帯電話端末Ａによって該Ｗｅｂページへアクセス可能である。また、Ｗｅｂサーバ２等によって管理される広告主に関する広告主情報を含み、更に広告１の所在地を表す所在地情報を含む。これら所在地情報及び広告主情報はそれぞれが広告特定情報として記憶されており、この実施例では、所在地情報及び広告主情報が別々に情報としてＱＲコード１３に含まれている。しかしながら、広告特定情報は、広告特定情報から所在地情報及び広告主情報が分かるような情報であれば足りるので、例えば、全ての広告１に通し番号を振っておき、各広告１の通し番号に紐付けて所在地情報及び広告主情報を記憶手段に記憶しておき、ＱＲコード１３によって取得されるＷｅｂページのＵＲＬは、ネットワークＮＥＴを介して通信可能となるＵＲＬである。ＱＲコード１３によって表され携帯電話端末ＡからＷｅｂサーバ２へ送信される情報は、例えば『http://k.d.k.co.jp/ST/4352686/s.s?qsnid=100000&lat=35.466&lon139.6219adv=○○医院』のように表され、『http://k.d.k.co.jp/ST/4352686』が接続先サーバのＷｅｂページの上方であり、『qsnid=100000&lat=35.466&lon139.6219』以下に広告主情報および所在地情報を含み、『qsnid=100000』が広告主情報であり、これに&で続く『&lat=35.466&lon139.6219』が所在地情報を表しており広告の所在地を表している。
このＱＲコード１３は、携帯電話端末Ａによって読み取られる。この携帯電話端末Ａは、ＱＲコード１３を読み取る読取機能を有し、且つ読み取ったＱＲコード１３を解読する解読機能を有している。更に、携帯電話端末Ａは、ＱＲコード１３が所定のＷｅｂページを表す場合に、該Ｗｅｂページへ接続要求を行い、且つ接続要求に基づき受領するＷｅｂページを表示する機能を有しており、それぞれの処理手段および表示手段を有している。即ち、携帯電話端末Ａは、昨今の一般的な携帯電話の有する標準的な機能を具備してなる。尚、この実施例では、ＱＲコード１３を読み取りＷｅｂサーバ２へのアクセスを携帯電話端末Ａで行うことを例に説明するが、Ｗｅｂサーバ２へのアクセスは、かならずしも携帯電話端末Ａでなくとも良く、前記のようなＱＲコード１３を読み取ってからＷｅｂサーバ２へアクセスする手段を備えておりＵＲＬによって表される情報を表示可能な表示機能を備え、ネットワークを介してＷｅｂサーバ２へアクセス可能であれば、携帯端末やコンピュータでも良く、携帯電話端末Ａに限定されない。
【００３０】
このように、携帯電話端末Ａによって読み込まれたＱＲコード１３は、先に挙げた広告主情報、広告所在地情報を含むが、少なくとも『ｈｔｔｐ：／／』以下によって表されるＷｅｂサーバ２の管理するＷｅｂページ情報を含む。
携帯電話端末Ａは、図６に表すように、送受信処理部Ａ１を有し、ＱＲコードリーダカメラＡ２およびＱＲコード解析処理部Ａ３を制御すると共に、ＱＲコード解析処理部Ａ３の解析したＵＲＬを送信可能である。Ａ４は入力部であるキーパッド部であり、テンキーおよび各機能キーからなる。Ａ５は表示部であり液晶ディスプレイからなる。
尚、この実施例では、特にことわらずに携帯電話端末ＡとＷｅｂサーバ２とはネットワークＮＥＴを介して通信することを表し、ネットワークＮＥＴは、携帯電話群のネットワークＴＮＥＴとインターネットＩＮＥＴとをゲートウェイＧを介して相互に通信可能としても良く、この場合にはゲートウェイが携帯電話ネットワークとインターネットとを接続させるが、既に既存の技術であり、この発明においてはこれら２つのネットワークを経由して異なるネットワーク相互に属する携帯電話端末ＡとＷｅｂサーバ２とが通信するものも含み単にネットワークＮＥＴを介して通信すると言う。
【００３１】
２はＷｅｂサーバであり、３は地図サーバであり、４は処理サーバである。
Ｗｅｂサーバ２は、広告１によって特定されたＱＲコード１３を送信する携帯電話端末Ａと通信可能にデータの送受信を行う入出力手段２１を有する。そしてＷｅｂサーバ２は、この発明に係る広告地図表示システムにおいてＱＲコード１３によって特定される広告主情報および所在地情報を、入出力手段２１を通じて受領して、広告主情報に紐付けられて記憶されている情報に基づいて広告主のＷｅｂページを生成して送信し、携帯電話端末Ａに該Ｗｅｂページを表示させることが可能である。
また、Ｗｅｂサーバ２は、ＣＰＵ、メモリ、表示手段等を有するコンピュータからなり、携帯電話端末Ａから送信されてくるＱＲコード１３によって特定される広告主情報に紐付けて広告主データを予め記憶される広告主データ記憶部２２を具備する。広告主データ記憶部２２には、広告主情報に紐付けて広告主の店舗名（支店名）および該店舗（支店）の所在地を特定する情報を含む広告主データが記憶されており、従って複数の広告主に関する情報が広告主毎に識別可能な広告主情報に紐付けて記憶されている。広告主データに記憶される店舗の所在地を特定する所在地データは、店舗等の所在地を表す住所データでもよく、緯度経度によって表す位置の情報であってもよく、これらは地図情報を生成する際に使用するデータであればよい。また、広告主データには、広告主の商品広告などの情報も記憶させても良い。
入出力手段２１および広告主データ記憶部２２は、Ｗｅｂ処理手段２３と接続され、Ｗｅｂ処理手段２３の指示によってそれぞれが処理される。
【００３２】
Ｗｅｂ処理手段２３は、ＣＰＵ、バッファ、メモリ等からなり、携帯電話端末Ａから入出力手段２１を介して接続要求があると携帯電話端末Ａを特定して該携帯電話端末Ａにデータを送信するための携帯電話端末Ａのアドレス情報と、携帯電話端末Ａから送信されてきた広告主情報および所在地情報を取得してＱＲデータ記憶域２４に記憶することが可能である。尚、広告主情報および所在地情報は、携帯電話端末Ａが接続要求してきた際のＵＲＬ情報に記述されている内容から読取っている。２５は表示画面生成手段であり、Ｗｅｂ処理手段２３と接続され、Ｗｅｂ処理手段２３の指示により、携帯電話端末Ａに表示可能な画面表示データを生成する。また、Ｗｅｂ処理手段２３は、携帯電話端末Ａから取得した広告主情報に基づき広告主データ記憶部２２から該広告主情報に紐付けられて記憶した広告主データを読出す。そして広告主データに基づいて広告主に関する広告ページを表示画面生成手段２５に生成させ、接続要求をしてきた携帯電話端末Ａへ入出力手段２１を介して送信可能である。
【００３３】
この時携帯電話端末Ａへ送信する情報には、広告主データに記憶されている広告主の所在地を表示させるか否かを携帯電話端末Ａに選択させ返信させる地図表示選択フィールドを含んでおり、該フィールド以外にも広告主の商品データを表示希望させる商品データ表示選択フィールド等のフィールド情報を含んでもよい。そして、携帯電話端末Ａから地図情報を表示させる旨の指示をＷｅｂ処理手段２３が受領すると、Ｗｅｂ処理手段２３は処理サーバ４に対し携帯電話端末Ａへ表示させるための地図情報を生成するように指示する。このとき、Ｗｅｂ処理手段２３は、ＱＲデータ記憶域２４に記憶されている広告１の所在地を表す所在地情報、および、携帯電話端末によって地図表示希望された広告主の所在地を表す広告主情報を処理サーバ４へ出力する。尚、広告主の所在地が店舗毎に異なって携帯電話端末Ａによって複数から選択可能な場合には、広告主情報に紐付けて複数の店舗の所在地を表す店舗位置の情報が記憶されており、選択された所定の店舗位置の情報を広告主情報として処理サーバ４へ出力する。また、例えば商品データ表示選択フィールドに表示された特定の商品が選択された場合には、該選択データを受領して該選択された商品に関するデータを広告主情報に紐付けて記憶されている広告主データから読出し、Ｗｅｂ処理手段２３が携帯電話端末Ａに表示可能なＷｅｂページとして表示画面生成手段２５に生成させ携帯電話端末Ａへ送信する。
尚、実施例１では、所在地情報及び広告主情報はそれぞれが広告特定情報として独立して記憶されており、所在地情報及び広告主情報が別々な情報としてＱＲコード１３に含まれている。しかしながら、広告特定情報は、広告特定情報から所在地情報及び広告主情報が分かるような情報であれば足りるので、例えば、全ての広告１に通し番号を振って通し番号情報としておき、各広告１の通し番号に紐付けて所在地情報及び広告主情報を広告主データ記憶手段２２に記憶してテーブルデータとして変換可能にデータを備え、該通し番号情報と該テーブルデータとを照合して通し番号情報から所在地情報及び広告主情報を取得してするように構成してもよい。この場合の該通し番号情報と該テーブルデータとの照合方法は、既にパーソナルコンピュータのプログラムとして一般的に用いられている手法を用いるだけなので詳説しない。
【００３４】
地図サーバ３は、地図情報３１が記憶されており、処理サーバ４の指示により、所定の範囲の地図を切出して処理サーバ４へ出力する。また、地図サーバ３には、位置を表す地図情報と共に該地図情報に対応して該地図情報によって表す地図上に駅名等の情報を表示させるフィールドデータ３２を予め記憶される。そして、地図サーバ３が地図情報を切出して処理サーバ４へ出力する際には、フィールドデータもセットで出力する。以後、地図サーバ３が地図情報を切り出して処理サーバ４へ出力する際には特に記載しなくともフィールドデータも切出して出力し、切出した地図情報を表示する際には、該フィールドデータも地図上に表示するものとする。また、地図サーバ３には、切出す地図の縮尺度が複数定められた縮尺テーブルが用意されている。この縮尺テーブルは後に詳説するが、地図範囲特定ステップＳ２−６によって切出す地図の縮尺度を決定する際に用いられる。
処理サーバ４は、ＱＲコード１３によって特定される所在地情報に紐付けて記憶される現在所在地データを予め記憶された現在所在地記憶部４１と、ＱＲコード１３によって特定される広告主情報に紐付けて広告主の希望する広告主所在地データを予め記憶された広告主所在地記憶部４２とを有する。尚、広告主情報に紐付けて記憶される広告主所在地データは、広告主の所在地が店舗毎に異なって複数ある場合には、広告主情報に紐付けて複数の店舗（支店）の所在地を表す店舗位置の情報が各店舗（支店）に対応して記憶されており、Ｗｅｂサーバ２から入力する広告主情報によって所望の店舗が特定されるようにしても良い。
【００３５】
また、処理サーバ４は、地図範囲特定手段４３、地図作成手段４４を備える。地図範囲特定手段４３は、Ｗｅｂサーバ２から入力した所在地情報に紐付けて現在所在地記憶部４１に記憶されている現在所在地データを読出すと共に、Ｗｅｂサーバ２から入力した広告主情報に紐付けて広告主所在地記憶部４２に記憶されている広告主所在地データを読出し、読出した現在所在地データを中心に位置させると共に広告主所在地データを含む地図範囲を、予め定める縮尺度から選択して特定し、地図作成手段４４へ出力する。
地図作成手段４４は、地図範囲特定手段４３によって特定された地図範囲および地図尺度に基づき、地図サーバ３へ該範囲および縮尺度の地図を切出して出力するよう指示する。そして地図サーバ３から受領した地図情報に、現在所在地データの位置および広告主所在地データの位置をそれぞれ星マーク等によって地図上に際だたせて表示するように地図情報と共に表示させるフィールドデータを生成し、地図サーバ３から受領した地図情報とフィールドデータ、および、自身が生成したフィールドデータとによって、携帯電話端末Ａに表示可能な地図情報を生成し、Ｗｅｂサーバ２へ出力する。
【００３６】
Ｗｅｂサーバ２は、処理サーバ４の生成した地図データ等からなるＷｅｂページを携帯電話端末へ送信し、携帯電話端末Ａの液晶ディスプレイＡ５へ表示させる。
以下に、各サーバにおける処理をブロック図に基づいて説明する。尚、以下に説明する処理では、ＱＲコード１３には、広告主情報によって特定される広告主の店舗が１つであり該店舗位置を広告主所在地として表示する第１広告処理形態の場合と、広告主の情報が複数店舗の表示を含み、複数店舗から携帯電話端末Ａによって特定された店舗を表示する第２広告処理形態の場合と、広告主所在地として表示する店舗が複数あり、該複数を同時に表示させるあるいは店舗がなく公共施設等を店舗位置の代りに複数表示させる第３広告処理形態の場合とがあり、これらの広告処理形態を表す情報を処理サーバ４に処理パターン情報として記憶されており、各処理パターン毎に広告主情報を処理する場合を説明する。尚、この処理パターン情報は、広告主情報によって特定される広告主の情報に紐付けて予め記憶されている。
【００３７】
図７はＷｅｂサーバ２のウェブ処理手段２３による各処理を表す。
ステップＳ１−１７は、第３広告処理形態判断ステップである。第３広告形態判断ステップＳ１−１７は、携帯電話端末Ａからの処理要求が、第３広告処理形態における読取ったＱＲコード１３を送信してきた初めての処理要求か、ＱＲコード１３を読取って接続し処理された後地図情報等を表示させるための再度の処理要求かを判断するステップであり、当初携帯電話端末ＡからＱＲコード１３を読込んで接続された場合には第２広告処理形態判断ステップＳ１−１６が実行され、それ以外の場合には広告主情報検索ステップＳ１−７実行される。尚、ＱＲコード１３を読取って接続し処理された後地図情報等を表示させるための再度の処理要求であるか否かは、現在処理している広告の処理形態が第１広告処理形態、第２広告処理形態、第３広告処理形態の何れであるかは、処理パターン情報が解析処理ステップＳ１−３の解析によって読取られるので、該情報により基づいて処理される。
次に実行される第２広告処理形態判断ステップＳ１−１６は、第２広告処理形態における表示画面の選択があったか否かを判断するステップであり、当初携帯電話端末ＡからＱＲコード１３を読込んで接続された場合には待受け判断ステップＳ１−１が実行され、それ以外の場合には広告主情報検索ステップＳ１−７実行される。尚、ＱＲコード１３を読取って接続し処理された後地図情報等を表示させるための再度の処理要求であるか否かは、現在処理している広告の処理形態が第１広告処理形態、第２広告処理形態、第３広告処理形態の何れであるかは、処理パターン情報が解析処理ステップＳ１−３の解析によって読取られるので、該情報により基づいて処理される。
次いで実行されるステップＳ１−１は待受け判断ステップである。待受け判断ステップＳ１−１は、携帯電話端末Ａからの処理要求があるか否かを待受け、処理要求が無い場合には再び待受け判断ステップＳ１−１を繰返し、処理要求があった場合には続けて処理選択ステップＳ１−２を行う。
処理選択ステップＳ１−２は、携帯電話端末Ａからの処理要求が、読取ったＱＲコード１３を送信してきた初めての処理要求か、ＱＲコード１３を読取って接続し処理された後、地図情報等を表示させるための再度の処理要求かを判断し、初めての処理要求の場合には続けて解析処理ステップＳ１−３を実行し、それ以外では続けて地図生成ステップＳ２を実行する。
【００３８】
解析処理ステップＳ１−３は、携帯電話端末Ａから受領した情報から、広告主情報および所在地情報並びに処理パターン情報を解析して読取るステップであり、続けて記憶ステップＳ１−４が実行される。  
記憶ステップＳ１−４は、解析処理ステップＳ１−３で解析して読取った広告主情報および所在地情報並びに処理パターン情報をＱＲデータ記憶域２４へ記憶させるステップである。記憶ステップＳ１−４に続いては処理パターン判断ステップＳ１−５が実行される。
処理パターン判断ステップＳ１−５は、処理パターン情報が第２広告処理形態であるか否かを判断し、第２広告処理形態以外の場合には、広告主情報検索読込みステップＳ１−６が実行され、第２広告処理形態の場合にはステップＳ１−１２が実行される。
処理パターン判断ステップＳ１−６は、処理パターン情報が第３広告処理形態であるか否かを判断し、第３広告処理形態以外の場合には、処理パターン判断ステップＳ１−７が実行され、第３広告処理形態の場合にはステップＳ３−１が実行される。
【００３９】
以下、処理パターンが第１広告処理形態の場合を説明する。
広告主情報検索ステップＳ１−７では、ＱＲデータ記憶域２４に記憶した広告主情報を読込み、該情報を広告主データ記憶部２２から検索するステップであり、広告主データ記憶部２２の広告主情報とＱＲデータ記憶域２４に記憶されている広告主情報とを比較して検索するステップであり、一致しない場合には広告主データ記憶部２２に記憶された次の情報との比較を行い、両情報が一致した場合には続けて読込みステップＳ１−８が実行される。
読込みステップＳ１−８は、広告主情報検索ステップＳ１−７で一致した広告主データ記憶部２２に記憶されている広告主データを読込むステップである。
続けて処理される表示画面生成ステップＳ１−９は、表示画面生成手段２５に広告主データに基づいて広告主に関する広告ページを生成させるステップである。表示画面生成手段２５によって生成される表示画面データは、図８に表すように、表示データ中に選択可能な領域として、地図表示選択フィールドＢを含んでおり、携帯電話端末Ａによって選択可能にする。尚、図８に表す実施例では、他の選択可能なフィールドとしては広告主の電話番号、広告主のホームページアドレス、公共施設の所在地地図を表せる選択フィールドを設けるが、これらは各実施態様に合わせ適宜設ければよい。
【００４０】
続けて、送信ステップＳ１−１０が実行される。
送信ステップＳ１−１０は、表示画面生成ステップＳ１−９で生成した表示画面データを入出力手段２１（入出力インターフェース）によって携帯電話端末Ａへ送信させるステップである。
そして送信ステップＳ１−１０が実行されると、携帯電話端末Ａからの処理希望を待受けるために再び第３広告処理形態判断ステップＳ１−１７および第２広告処理形態判断ステップＳ１−１６を実行することとなる。
次いで、携帯電話端末Ａが、地図表示選択フィールドを選択した場合には、該選択した旨の情報が携帯電話端末Ａから送信されてくるので、処理選択ステップＳ１−２では、携帯電話端末Ａからの要求が、地図表示選択フィールドを選択した情報が送信された地図情報表示要求情報を受領したので、続けて地図生成ステップＳ２へ移行する。尚、第２広告処理形態および第３広告処理形態の場合には、携帯電話端末からそれぞれ第３広告処理形態判断ステップＳ１−１７および第２広告処理形態判断ステップＳ１−１６が処理選択ステップＳ１−２に先だって実行されているので、第３広告処理形態判断ステップＳ１−１７および第２広告処理形態判断ステップＳ１−１６によって次に実行されるステップが変更されることとなる。
地図生成ステップＳ２は、図９に基づいて説明する。
地図生成ステップＳ２では、まず、広告主情報読込みステップＳ２−１を実行する。
広告主情報読込みステップＳ２−１では、ＱＲデータ記憶域２４に記憶されている広告主情報および所在地情報を読込み、次いで広告主所在地検索ステップＳ２−２が実行される。
【００４１】
広告主所在地検索ステップＳ２−２では、広告主情報読込みステップＳ２−１で読込んだ広告主情報に基づいて広告主所在地記憶部４２に広告主情報に紐付けて記憶されている広告主所在地データを順次検索し、ヒットしない場合には次のデータを検索し、ヒットした場合には、続けて広告主所在地データ読込みステップＳ２−３が実行される。
広告主所在地データ読込みステップＳ２−３は、前のステップＳ２−２でヒットした広告主所在地データを読込むステップである。
次いで実行されるステップＳ２−４は、所在地情報読込みステップであり、広告主情報読込みステップＳ２−１で読込んだ所在地情報に基づいて現在所在地記憶部４１に所在地情報に紐付けて記憶されている現在所在地データを順次検索し、ヒットしない場合には次のデータを検索し、ヒットした場合には、続けて現在所在地データ読込みステップＳ２−５が実行される。
【００４２】
現在所在地データ読込みステップＳ２−５は、前のステップＳ２−４でヒットした現在所在地データを読込むステップである。
次いで、実行されるのは地図範囲特定ステップＳ２−６である。地図範囲特定ステップＳ２−６は、既に読込まれた現在所在地データおよび広告主所在地データとから、現在所在地データを地図の中心にした時に広告主所在地データが表示できる最良の地図縮尺度を選択するステップである。
即ち、地図範囲特定ステップＳ２−６の詳細は、図１０に表すように、まず変数セットステップＳ２−６１が実行される。変数セットステップＳ２−６１では変数「ｎ＝０」と置く。次いで距離算出ステップＳ２−６２が実行され、広告主所在地データおよび現在所在地データから、２点間の距離を算出し該算出した距離の２倍を変数「β」とし一時記憶させる。
次いで縮尺テーブル取得ステップＳ２−６３が実行される。縮尺テーブル取得ステップＳ２−６３は、予め処理サーバ４に記憶されている縮尺テーブルから、変数セットステップＳ２−６１で設定したｎ＝０のテーブルデータを読み出し「αｎ」とする。尚、この実施例では、テーブルデータは縮尺率の小さい順に並べられており、縮尺率の小さい順に順次「αｎ」として読み出される。
次いで、切出し地図尺度選択ステップＳ２−６５が実行される。切出し地図尺度選択ステップＳ２−６５では、距離算出ステップＳ２−６２で算出した２点間の距離の２倍の距離「β」と縮尺テーブル取得ステップＳ２−６３によって取得した「αｎ」とを比較し、「αｎ」が「β」より大きければ続けて地図データ切出し指示ステップＳ２−６６が実行され、それ以外はテーブル変数加算ステップＳ２−６４が実行される。
テーブル変数加算ステップＳ２−６４では、「ｎ＝ｎ＋１」を実行し、算出結果を再び「ｎ」として一時的に記憶しておくと共に続けてテーブル取得ステップＳ２−６３を実行する。
次いで、地図生成ステップＳ２−７が実行される。そして、地図生成ステップＳ２−７では、地図範囲特定ステップＳ２−６で決定された縮尺度を処理サーバ４の地図生成手段４４へ出力し、現在所在地データを中心とした該縮尺度の地図範囲を特定して地図サーバ３へ地図の切出しを行わせる指示を出力する。
切出し地図尺度選択ステップＳ２−６５で「αｎ＞β」であった場合に実行される地図生成ステップＳ２−７では、地図範囲特定ステップＳ２−６で決定された縮尺度を処理サーバ４の地図生成手段４４へ出力し、現在所在地データを中心とした該縮尺度の地図範囲を特定し、広告所在地を中心とした縮尺「αｎ」の地図の切り出しを地図サーバ３へ指示する。この指示により地図サーバ３では該地図データを切出す。
尚、この実施例では、切出し地図尺度選択ステップＳ２−６５が「αｎ＞β」の不等式を判断するので、処理サーバ４に予め記憶されているテーブルデータは縮尺率の小さい順に並べられているが、切出し地図尺度選択ステップＳ２−６５の不等式を「αｎ≦β」として縮尺率を決定しても良く、この場合には、テーブルデータを縮尺率の大きい順に順次「αｎ」として読み出されるように予め記憶しておけば良く、縮尺率を決定するための切出し指示ステップＳ２−６６他による判断・決定の手順は他の手法を用いても良い。
【００４３】
尚、この縮尺度の選択は、２点間の距離を算出して比較する手法を用いたが、予め定める切出し縮尺度によって表示できる２点間の距離をそれぞれの対応距離として切出し縮尺度に対応して記憶しておき、２点間の距離と対応距離とを比較してもよく、また、２点間の距離と表示できる最大の縦および横幅とから切出し縮尺度を予め算出しておき、該切出し縮尺度と予め定める切出し縮尺度とを比較して求めてもよく、更には、単に２点間の距離と最大の表示縦横の長さとから縮尺度を直に算出して求めても良い。
【００４４】
地図生成ステップＳ２−７に続けては、地図生成ステップＳ２−７によって指示し地図サーバ３から切出された地図データを取得する地図データ受領ステップＳ２−８が実行される。地図データ受領ステップＳ２−８では、処理サーバ４の地図生成手段４４が指示して地図サーバ３から取得した地図データを受領する。
従って、このステップＳ２−６によって、現在所在地データによって特定される現在位置を中心とおいた場合に、該現在位置と広告主所在地データによって特定される広告所在地とが最も拡大されて表示される縮尺度が選択可能である。
この切出し地図受領ステップＳ２−８では、所在地および地図データと共に駅の位置等を説明するフィールドデータも受領する。更には、図１１に表すような地図以外の情報、例えば目的地である広告主所在地データ位置および現在地に表示したマークの説明や、縮尺表示された横方向の距離表示等であり、また、更に表示地図の拡大や縮小を行わせるために選択させる縮尺度切替えフィールドや、表示している地図の位置を移動させるための移動方向キーフィールド等を表示する。尚、地図の縮尺度切替えや、表示位置の移動等は、既知の技術であり詳細な説明は省略する。
次いで所在地マークステップＳ２−９が実行される。所在地マークステップＳ２−９では、現在所在地データおよび広告主所在地データに星マーク等の表示位置を視認させるためのマークを表示させるフィールドデータを生成するステップである。従って、所在地マークステップＳ２−９では、切出した地図データと共に該地図データ上に目的地である広告主所在地を赤色の星マーク等で他のデータ容易に識別可能に表示させ、同様に中心となっている現在位置も赤色の星マーク等で他のデータ容易に識別可能に表示させる。その際、広告主所在地と現在位置とは異なる形状のマークとすることが望ましい。
【００４５】
所在地マークステップＳ２−９に続いては、表示地図変換ステップＳ２−１０が実行される。表示地図変換ステップＳ２−１０は、切出し地図受領ステップＳ２−８で取得した地図に関する情報を携帯電話端末Ａで表示可能な表示地図データに変換するステップである。従って表示地図変換ステップＳ２−１０によって変換された地図は携帯電話端末Ａの表示手段であるディスプレイ解像度に合わせた表示地図データとなる。
表示地図変換ステップＳ２−１０に続いては、送信ステップＳ１−１０が実行される。
送信ステップＳ１−１０では、図１１に表すような表示地図変換ステップＳ２−１０によって変換された地図データを含むＷｅｂページを携帯電話端末Ａへ送信する。
そして送信ステップＳ１−１０が実行されると再び第３広告処理形態判断ステップＳ１−１７を繰返す。
そして、携帯電話端末Ａでは、送信ステップＳ１−１０によって送信された図１１に表すようなＷｅｂページが表示される。
【００４６】
次いで、処理パターン判断ステップＳ１−５によって、第２広告処理形態であると判断された場合に実行されるステップＳ１−１２以降を説明する。第２広告処理形態の広告主情報に紐付けて記憶されている広告主データは、複数店舗毎に該店舗に紐付いて広告主データを持っており、携帯電話端末Ａにおいて所望の店舗が選択された場合に、該選択された店舗に関する情報をあたかも広告主情報として扱い、ステップＳ１−７以降の処理を行得るようにステップＳ１−１２以降を行う。
【００４７】
ステップＳ１−１２は、複数店舗検索ステップである。
複数店舗検索ステップＳ１−１２では、ＱＲデータ記憶域２４に記憶した広告主情報を読込み、該情報を広告主データ記憶部２２から検索するステップであり、広告主データ記憶部２２の広告主情報とＱＲデータ記憶域２４に記憶されている広告主情報とを比較して検索するステップであり、一致しない場合には広告主データ記憶部２２に記憶された次の情報との比較を行い、両情報が一致した場合には続けて読込みステップＳ１−１３が実行される。
読込みステップＳ１−１３は、広告主情報検索ステップＳ１−１２で一致した広告主データ記憶部２２に記憶されている広告主データを読込むステップである。広告主データ２２に記憶されている店舗（支店）が３つ存在する場合を例に説明すると、該３つの店舗（支店）に関する名称等の情報を読出す。
尚、読込みステップＳ１−１３では、支店が３店舗以上存在する場合には、広告主情報検索ステップＳ１−１２で順次読込む支店の所在地データと現在所在地データとを比較し、読込んだすべての支店から現在地データの直近の３店舗を選択した３店舗として読込み、該３つの店舗（支店）に関する名称等の情報を読出すようにしてもよく、また、３店舗にかぎらず、すべての店舗（支店）に関する名称等の情報を読出すようにしてもよい。
【００４８】
次いで、これら３つの店舗情報を携帯電話端末Ａへ表示させて選択可能な選択ページを生成する選択ページ表示ステップＳ１−１４が実行される。選択ページ表示ステップＳ１−１４では、表示画面生成手段２５によって図１２に表すような３つの店舗（支店）情報を表示すると共に、該表示から所望の店舗を選択可能なＷｅｂページを生成する。次いで、送信ステップＳ１−１５が実行される。
送信ステップＳ１−１５は、送信ステップＳ１−１０同様であり、選択ページ表示ステップＳ１−１４で生成したＷｅｂページを携帯電話端末Ａへ送信し、図１２に表すようなページを表示させる。
送信ステップＳ１−１５に続いては第３広告処理形態判断ステップＳ１−１７が実行される。しかしながら、第３広告処理形態判断ステップＳ１−１７は、処理パターンが第３広告処理形態であり、第３広告処理形態における携帯電話端末Ａからの応答の場合に処理されるので、続けて第２広告処理形態判断ステップＳ１−１６が実行される。
【００４９】
第２広告処理形態判断ステップＳ１−１６は、送信ステップＳ１−１５で送信した複数店舗選択のＷｅｂページから特定の店舗選択があったか否かを判断するステップであり、選択があった場合には、続けて広告主情報検索ステップＳ１−７が実行され、それ以外では続けて待受け判断ステップＳ１−１が実行される。そして、第２広告処理形態判断ステップＳ１−１６が特定の店舗選択があったかと判断した場合には、次いで広告主情報検索ステップＳ１−７が実行される。広告主情報検索ステップＳ１−７では、先に説明したのと同様に順次処理を行う。
【００５０】
次いで広告の形態が第３広告処理形態の場合を説明する。
広告が第３広告処理形態の場合には、処理パターン判断ステップＳ１−６によって、処理パターン情報が第３広告処理形態であると判断され、ステップ３が実行されることとなる。そして、ステップ３では、広告の処理パターンが第３広告処理形態であるので、複数店舗の情報を現在位置と同時に地図上に表示しなければならない。
そこで、ステップ３は図７に表すように、複数店舗検索ステップＳ３−１が実行される。複数店舗検索ステップＳ３−１は、ＱＲデータ記憶域２４に記憶した広告主情報を読込み、該情報を広告主データ記憶部２２から検索するステップであり、広告主データ記憶部２２の広告主情報とＱＲデータ記憶域２４に記憶されている広告主情報とを比較して検索するステップであり、一致しない場合には広告主データ記憶部２２に記憶された次の情報との比較を行い、両情報が一致した場合には続けて読込みステップＳ３−２が実行される。
読込みステップＳ３−２は、複数店舗検索ステップＳ３−１で一致した広告主データ記憶部２２に記憶されている広告主データを読込むステップである。広告主データ２２に記憶されている店舗（支店）が３つ存在する場合を例に説明すると、該３つの店舗（支店）に関する名称等の情報を読出す。
尚、読込みステップＳ３−２では、支店が３店舗以上存在する場合には、読込みステップＳ３−２が、順次読込む支店の所在地データと現在所在地データとを比較し、読込んだすべての支店から現在地データの直近の３店舗を選択した３店舗として読込み、該３つの店舗（支店）に関する名称等の情報を読出すようにしてもよく、また、３店舗にかぎらず、該すべての店舗（支店）に関する名称等の情報を読出すようにしてもよい。
【００５１】
次いで、地図作成領域判断ステップＳ３−３が実行される。地図作成領域判断ステップＳ３−３は、これら３つの店舗位置を広告所在地と共に地図に表示させるために、広告所在地から最も遠い店舗位置を算出するステップである。そこで、地図作成領域判断ステップＳ３−３では、順次読込む店舗の位置と広告所在地とを比較し、緯度方向および経度方向の距離を算出してバッファメモリ等に一時的に記憶しておき、すべての店舗について該距離の算出が終了したところで、広告所在地から最も遠い店舗の位置情報を広告主所在地データとしてバッファメモリ等に一時的に記憶しておく。このとき一時的に記憶した広告主所在地データが、地図範囲特定ステップＳ２−６によって地図の切出しを行う際に地図範囲を特定するための広告主所在地データとして用いられることとなる。
【００５２】
そして、地図作成領域判断ステップＳ３−３に続いては、表示画面生成ステップＳ３−４が実行される。表示画面生成ステップＳ３−４は、表示画面生成手段２５に広告主データに基づいて広告主に関する広告ページを生成させるステップである。表示画面生成手段２５によって生成される表示画面データは、図８に表すように、表示データ中に選択可能な領域として、地図表示選択フィールドＢを含んでおり、携帯電話端末Ａによって選択可能にする。尚、図８に表す実施例では、他の選択可能なフィールドとしては広告主の電話番号、広告主のホームページアドレス、公共施設の所在地地図を表せる選択フィールドを設けるが、これらは各実施態様に合わせ適宜設ければよい。ただし、表示画面生成ステップＳ３−４によって地図表示をするように選択フィールドＢが選択されると、表示される地図には、広告主情報に関連づけられて記憶されている複数の店舗位置が広告所在地（現在位置）と共に表示されることとなる。
【００５３】
表示画面生成ステップＳ３−４に続いては、送信ステップＳ１−１０が実行される。そして、送信ステップＳ１−１０以降は、図７に表すフローチャートに従い実行され、第３広告形態判断ステップＳ１−１７で、第３広告処理形態における表示画面の選択があったと判断され次いで地図生成ステップ２（広告主情報読込みステップＳ２−１以降）が実行されることとなる。
更に順次各ステップにおける処理が進み、地図範囲特定ステップＳ２−６による処理では、広告主所在地データは、地図作成領域判断ステップＳ３−３でバッファメモリ等に一時的に記憶した広告主所在地データが用いられ、既に読込まれた現在所在地データおよび前記広告主所在地データとから、現在所在地データを地図の中心にした時に広告主所在地データが表示できる最良の地図縮尺度を選択する。
【００５４】
更に、地図生成ステップＳ２−７が実行され、該ステップＳ２−７に続いて切出し地図受領ステップＳ２−８が実行される。切出し地図受領ステップＳ２−８は、図１１に表すような地図以外の情報、例えば目的地である広告主所在地データ位置および現在地に表示したマークの説明や、縮尺表示された横方向の距離表示等であり、また、更に表示地図の拡大や縮小を行わせるために選択させる縮尺度切替えフィールドや、表示している地図の位置を移動させるための移動方向キーフィールド等を表示する。
【００５５】
次いで所在地マークステップＳ２−９が実行される。所在地マークステップＳ２−９では、現在所在地データおよび広告主所在地データに星マーク等の表示位置を視認させるためのマークを表示させるフィールドデータを生成するステップである。従って、所在地マークステップＳ２−９では、切出した地図データと共に該地図データ上に目的地である広告主所在地を赤色の星マーク等で他のデータ容易に識別可能に表示させ、同様に中心となっている現在位置も赤色の星マーク等で他のデータ容易に識別可能に表示させる。その際、広告主所在地と現在位置とは異なる形状のマークとすることが望ましい。そして第３広告処理形態では、広告主所在地データが複数存在するので、図１３に表すように、これら複数の所在地と現在所在地とが表示されることとなる。
【００５６】
そして、所在地マークステップＳ２−９に続けて表示地図変換ステップＳ２−１０前記同様に実行される。
【実施例２】
【００５７】
以下にこの発明の実施例２を、図面に基づき説明する。図１４は実施例２を表すフローチャートである。
【００５８】
実施例１では、携帯電話等の端末によってＱＲコード１３を読み取りＷｅｂサーバ２へ接続した後、Ｗｅｂサーバ２および地図サーバ３並びに処理サーバ４では、逐次携帯電話等の端末に対し、表示させる地図の画像を特定するために必要な情報を問い合わせ、その結果必要な地図情報を地図サーバ３から切出して携帯電話等の端末へ送信している。これに対し実施例２では、携帯電話等の端末から該端末によって読み取られたＱＲコード１３に基づいて所在地情報や広告主情報等の各情報が送信されて来ると、Ｗｅｂサーバ２および地図サーバ３並びに処理サーバ４では該情報に基づいて、切出すべき地図を特定して該地図を切出す地図情報を生成し、この地図情報を送信されてきた携帯電話等の端末へ送信する実施例である。このようにすることで、Ｗｅｂサーバ２および地図サーバ３並びに処理サーバ４側では切出すべき地図情報を保存しておく必要がないので、Ｗｅｂサーバ２および地図サーバ３並びに処理サーバ４への負担を軽減できる。
以下に詳細を説明する。実施例２の構成は実施例１同様であり、図２乃至図５に表すように構成される。そこで、実施例２の説明では、実施例１と異なる部分について以下に説明する。
【００５９】
実施例２では、ウェブ処理手段２３は、図１４に表すフローチャートの各処理として実行される。
第３広告処理形態判断ステップＳ１−１７、第２広告処理形態判断ステップＳ１−１６、待受け判断ステップＳ１−１は、実施例１同様であるが、第３広告処理形態判断ステップＳ１−１７および第２広告処理形態判断ステップＳ１−１６は、判断の後地図切出し情報読取りステップＳ２−１１へ分岐する。
待受け判断ステップＳ１−１に続けて実行される処理選択ステップＳ１−２は、携帯電話端末Ａからの処理要求が、地図を表示させる地図表示処理要求であるか否かを判断するステップであり、地図の表示要求の場合には続けて地図切出し情報読取りステップＳ２−１１が実行され、それ以外の場合には続けて解析処理ステップＳ１−３が実行される。
処理選択ステップＳ１−２に続けて実行される解析処理ステップＳ１−３は、実施例１同様である。
【００６０】
解析処理ステップＳ１−３に続けて実行される記憶ステップＳ１−４では、解析処理ステップＳ１−３で解析して読取った広告主情報および所在地情報並びに処理パターン情報をバッファメモリ等の一時記憶領域へ一時的に記憶させるステップである。記憶ステップＳ１−４に続いては処理パターン判断ステップＳ１−５が実行される。
処理パターン判断ステップＳ１−５も実施例１同様であり、処理パターン情報が第２広告処理形態であるか否かを判断し、第２広告処理形態以外の場合には、広告主情報検索読込みステップＳ１−６が実行され、第２広告処理形態の場合にはステップＳ２が実行される。
処理パターン判断ステップＳ１−６も実施例１同様であり、処理パターン情報が第３広告処理形態であるか否かを判断し、第３広告処理形態以外の場合には、広告主情報検索ステップＳ１−７が実行され、第３広告処理形態の場合にはステップＳ３が実行される。
【００６１】
次いで実行されるのは広告主情報検索ステップＳ１−７であり、以下、処理パターンが第１広告処理形態の場合を説明する。
広告主情報検索ステップＳ１−７は実施例１同様であり、ＱＲデータ記憶域２４に記憶した広告主情報を読込み、該情報を広告主データ記憶部２２から検索するステップであり、広告主データ記憶部２２の広告主情報と一時記憶領域へ一時的に記憶されている広告主情報とを比較して検索する。そして、一致しない場合には広告主データ記憶部２２に記憶された次の情報との比較を行い、両情報が一致した場合には続けて読込みステップＳ１−８が実行される。
読込みステップＳ１−８は、広告主情報検索ステップＳ１−７で一致した広告主データ記憶部２２に記憶されている広告主データを読込むステップである。
【００６２】
実施例２では、実施例１と異なり、読込みステップＳ１−８につづけて実施例１における広告主情報読込みステップＳ２−１乃至地図生成ステップＳ２−７が順次実行される。従って実施例２では、これらステップＳ２の各ステップを行うことで、予め表示させる地図の切出し情報を生成して携帯電話端末Ａへ送信し、再び携帯電話端末Ａから地図表示の要求があった場合には、該切出し情報に基づいて携帯電話端末への地図を切出して生成し送信させる。これにより、実施例１ではＷｅｂサーバ２では携帯電話端末Ａから接続要求があってから地図を表示するまでの間、携帯電話端末Ａから送信された広告主情報および現在所在地情報を記憶保持しておかなければならなかったが、実施例２では常に携帯電話端末Ａに、切出すべき地図の情報、即ち地図切出し情報を添付情報として送信させることで以後広告主情報および現在所在地情報を記憶しなくとも良くなる。
【００６３】
そこで、読込みステップＳ１−８に続き広告主情報読込みステップＳ２−１を実行する。広告主情報読込みステップＳ２−１は実施例１同様に実行され、続けて広告主所在地検索ステップＳ２−２が実行される。
広告主所在地検索ステップＳ２−２も実施例１同様であり、広告主情報読込みステップＳ２−１で読込んだ広告主情報に基づいて広告主所在地記憶部４２に広告主情報に紐付けて記憶されている広告主所在地データを順次検索し、ヒットしない場合には次のデータを検索し、ヒットした場合には、続けて広告主所在地データ読込みステップＳ２−３が実行される。
【００６４】
広告主所在地データ読込みステップＳ２−３も実施例１同様であり、広告主所在地検索ステップＳ２−２でヒットした広告主所在地データを読込む。
次いで実行される所在地情報読込みステップＳ２−４も実施例１同様であり、広告主情報読込みステップＳ２−１で読込んだ所在地情報に基づいて現在所在地記憶部４１に所在地情報に紐付けて記憶されている現在所在地データを順次検索し、ヒットしない場合には次のデータを検索し、ヒットした場合には、続けて現在所在地データ読込みステップＳ２−５が実行される。
【００６５】
現在所在地データ読込みステップＳ２−５も実施例１同様であり、前の所在地情報読込みステップＳ２−４でヒットした現在所在地データを読込むステップである。
次いで、実行されるのは地図範囲特定ステップＳ２−６も実施例１同様であり、既に読込まれた現在所在地データおよび広告主所在地データとから、現在所在地データを地図の中心にした時に広告主所在地データが表示できる最良の地図縮尺度を選択するステップである。そして地図範囲特定ステップＳ２−６も実施例同様に実行されて２点間の距離の２倍が切出し縮尺度の最長一辺の距離より小さい最適な縮尺度が選択される。
【００６６】
次いで、地図範囲特定ステップＳ２−６で決定された縮尺度を地図生成手段４４へ出力して地図生成手段４４に地図を生成させる地図生成ステップＳ２−７が実行される。この地図生成ステップＳ２−７は実施例２では実施例１と異なり、現在所在地データを中心とした該縮尺度の地図範囲を特定し、地図サーバ３へ該範囲の地図の切出しを指示する地図切出し情報を生成するにとどまる。
実施例２では、地図生成ステップＳ２−７に続けて表示画面生成ステップＳ１−９が実行される。
【００６７】
表示画面生成ステップＳ１−９では、実施例１同様表示画面生成手段２５に広告主データに基づいて広告主に関する広告ページを生成させる。表示画面生成手段２５によって生成される表示画面データは、図８に表すように、表示データ中に選択可能な領域として、地図表示選択フィールドＢを含んでおり、携帯電話端末Ａによって選択可能にする。尚、図８に表す実施例では、他の選択可能なフィールドとしては広告主の電話番号、広告主のホームページアドレス、公共施設の所在地地図を表せる選択フィールドを設けるが、これらは各実施態様に合わせ適宜設ければよい。
更に実施例２においては、表示画面生成ステップＳ１−９が生成した広告ページの情報に更に付加情報として、地図生成ステップＳ２−７で生成した地図切出し情報を付加し、続けて実行される送信ステップＳ１−１０によって該付加情報を含めて送信する。
【００６８】
続けて、送信ステップＳ１−１０が実行される。送信ステップＳ１−１０も実施例１同様であるが、送信する情報には前記地図切出し情報が含まれている。このとき送信する情報は、例えば『http://k.d.k.co.jp/ST/4352686/s.s?lon=502638840&lat=12677600&em=I1100000&qsnid=100000&map=ZZZZ8acb85353d52368fe13ba3c2c0966c108b8bl3eaala9fef02』であり、『map=ZZZZ8acb85353d52368fe13ba3c2c0966c108b8bl3eaala9fef02』が地図切出し情報として添付され携帯電話端末Ａへ送信される。また、この実施例では広告主情報『qsnid=100000』および所在地情報『lon=502638840&lat=12677600』も携帯電話端末Ａへ付加情報として添付されて送信される。
【００６９】
そして送信ステップＳ１−１０が実行されると、携帯電話端末Ａからの処理希望を待受けるために再び第３広告処理形態判断ステップＳ１−１７、第２広告処理形態判断ステップＳ１−１６を経て待受け判断ステップＳ１−１を実行することとなる。
次いで、携帯電話端末Ａが、地図表示選択フィールドを選択した場合には、該選択した旨の情報が携帯電話端末Ａから送信されてくるので、処理選択ステップＳ１−２では、携帯電話端末Ａからの要求が、地図表示選択フィールドを選択した情報が送信された地図情報表示要求情報を受領したので、続けて地図生成ステップＳ２へ移行する。
地図生成ステップＳ２は、実施例２においては、地図切出し情報を生成するところまでが既に広告主情報読込みステップＳ２−１乃至地図生成ステップＳ２−７によって行われているので、あとは該地図切出し情報に基づいて地図データを切出すと共に表示画面を生成して携帯電話端末Ａへ送信するのみである。
【００７０】
即ち、処理選択ステップＳ１−２に続けて処理される地図生成ステップＳ２では、まず地図切出し情報読取りステップＳ２−１１が実行される。
地図切出し情報読取りステップＳ２−１１は、携帯電話端末Ａから送信されてきた情報、例えば『http://k.d.k.co.jp/ST/4352686/s.s?lon=502638840&lat=12677600&em=I1100000&qsnid=100000&mp=ZZZZ8acb85353d52368fe13ba3c2c0966c108b8bl3eaala9fef02』から、切出すべき地図の切出し位置を表す地図切出し情報『mp=ZZZZ8acb85353d52368fe13ba3c2c0966c108b8bl3eaala9fef02』を読取り、該情報に基づく地図の切出しを行わせる指示を地図サーバ３へ出力する。
【００７１】
そして、実施例１同様に、続けて切出し地図受領ステップＳ２−８が実行される。切出し地図受領ステップＳ２−８は、実施例１同様である。
次いで所在地マークステップＳ２−９が実行される。所在地マークステップＳ２−９も実施例１同様であり、現在所在地データおよび広告主所在地データに星マーク等の表示位置を視認させるためのマークを表示させるフィールドデータを生成するステップである。
【００７２】
所在地マークステップＳ２−９に続いて実行される表示地図変換ステップＳ２−１０も実施例１同様であり、切出し地図受領ステップＳ２−８で取得した地図に関する情報を携帯電話端末Ａで表示可能な表示地図データに変換するステップである。従って表示地図変換ステップＳ２−１０によって変換された地図は携帯電話端末Ａの表示手段であるディスプレイ解像度に合わせた表示地図データとなる。
表示地図変換ステップＳ２−１０に続いては、送信ステップＳ１−１０が実行される。
送信ステップＳ１−１０では、表示地図変換ステップＳ２−１０によって変換された地図データを含むＷｅｂページを携帯電話端末Ａへ送信する。
そして送信ステップＳ１−１０が実行されると再び待受け判断ステップＳ１−１７繰返す。そして、携帯電話端末Ａでは、送信ステップＳ１−１０によって送信されて図１１に表すようなＷｅｂページが表示される。
【００７３】
次いで、実施例２において処理パターン判断ステップＳ１−５が第２広告処理形態であると判断した場合を説明する。実施例２においても、前記第１広告処理形態の場合同様に第３広告処理形態判断ステップＳ１−１７、第２広告処理形態判断ステップＳ１−１６を経て待受け判断ステップＳ１−１が実行され、更に処理パターン判断ステップＳ１−５までが実行されることとなる。
そして、第２広告処理形態の場合には処理パターン判断ステップＳ１−５で第２広告処理形態であると判断されるので、続けて複数店舗検索ステップＳ１−１２以降が実行される。そして、複数店舗検索ステップＳ１−１２以降送信ステップＳ１−１５までは実施例１同様に実行される。そして、送信ステップＳ１−１５では、図１２に表すように、複数店舗から所望の店舗を選択するＷｅｂページを携帯電話端末Ａへ表示する。
そして携帯電話端末Ａにより１つの店舗が選択されて再び携帯電話端末Ａから選択した旨の送信があると、続けて実行される第２広告形判断ステップＳ１−１６で送信ステップＳ１−１５によって送信した複数店舗選択のＷｅｂページから特定の店舗選択があったので、続けて広告主情報検索ステップＳ１−７が実行され、次いで広告主情報検索ステップＳ１−７が実行される。
【００７４】
従って、実施例２においては、第２広告処理形態判断ステップＳ１−１６は、広告処理形態において複数店舗から所定の店舗の選択があったか否かを判断している。そして更に広告主情報検索ステップＳ１−７でも前記図１４に表す切出し地図受領ステップＳ１−８以降広告主情報読込みステップＳ２−１乃至地図生成ステップＳ２−７を実行し表示画面生成ステップＳ１−９および送信ステップＳ１−１０を実行し、最終的に第２広告処理形態における広告主の店舗位置と広告掲載位置とを含む地図情報を携帯電話端末Ａへ表示させる。
更に、実施例２において第３広告処理形態の処理が行われる場合には、ＱＲコード１３を読取って接続されると、実施例１同様に処理され、処理パターン判断ステップＳ１−６において第３広告処理形態であることが判別されて続けて複数店舗検索ステップＳ３−１以下が実行される。そして、表示画面生成ステップＳ３−４では、表示画面生成手段２５によって生成される表示画面データ中の表示データ中に選択可能な領域として複数店舗表示指示フィールド（図示せず）を設けて表示画面を生成する。そして、送信ステップＳ１−１０によって該表示画面データを送信する。
携帯電話端末Ａによって前記複数店舗表示指示フィールドが選択されて送信されると、第３広告処理形態判断ステップＳ１−１７は、第３広告処理形態であり複数店舗を同時に表示するか否かの選択フィールドの選択があったので、続けて広告主情報検索ステップＳ１−７が実行される。
【００７５】
そして、広告主情報検索ステップＳ１−７以下の処理が、第１広告処理形態の場合同様に行われるが、第３広告処理形態では、広告主所在地記憶部４２に、店舗等の位置を表す広告主所在地データが広告主情報に紐付けて複数記憶されているので、図１３に星印で表すように、該複数の店舗の位置を表示可能な表示画面の地図切出し領域のデータを添付して送信ステップＳ１−１０によって送信する。
次いで、携帯電話端末Ａに表示された地図表示選択フィールドＢが選択されて送信されてくると、以下第１広告処理形態判断の場合同様に処理選択ステップＳ１−２が地図表示要求であると判断して、地図切出し情報読取りステップＳ２−１１以下の処理を行い携帯電話端末Ａに地図を表示させる
尚、携帯電話端末Ａが、ＧＰＳ機能を備えＷｅｂページや他の携帯電話等と接続する際に必ず自身の位置に関する情報をＧＰＳ機能によって携帯電話端末Ａ自身を識別させる付加情報（電話番号等の端末情報）と共に送信可能な場合には、上記実施例１および実施例２においてＱＲコード１３から取得する現在所在地情報は、携帯電話端末ＡがＱＲコード１３を読み取ってＷｅｂページへ接続する際に携帯電話端末Ａ自身を識別させる付加情報（電話番号等の端末情報）として送信される位置に関する情報を用いても良い。
【００７６】
上記実施例１では、ＱＲコード１３には、所在地を表す所在地情報及び広告主に関する広告主情報をそれぞれ含み構成されている。しかしながら、例えば、広告１を載せる媒体が電柱のような場合には、予め個々の電柱毎に電柱番号が振られており、該番号に対応して該電柱の所在地が紐付けて登録されてるので、電柱番号をＱＲコード１３に含めておくことで、電柱の所在地、即ち、広告１の所在地である所在地情報を電柱番号から特定することが可能となる。従って、ＱＲコード１３には電柱番号を特定できる電柱番号情報を含めて広告特定情報としておき、この広告特定情報を携帯電話から送信可能に構成してもよい。
そして、携帯電話から広告特定情報を受領するＷｅｂサーバ２には、携帯電話から送信される広告特定情報から所在地情報及び広告主情報を得られるように変換可能な中間サーバを設けておき、中間サーバには予め電柱番号情報毎に電柱番号情報で特定される電柱の所在地と該電柱に掲載されている広告主との情報をそれぞれ所在地情報及び広告主情報として電柱番号情報に紐付けて記憶手段に変換テーブルデータとして記憶しておく。
そして、中間サーバでは、携帯電話から二次元コードによって所在地情報及び広告主情報を特定可能な広告特定情報を受領すると、広告特定情報に含まれる電柱番号情報を取得し、前記変換テーブルデータと該電柱番号情報とを照合する。この照合の結果、電柱番号情報に紐付けて記憶されている所在地情報及び広告主情報を取得する。
そして更に、中間サーバで広告特定情報から取得された所在地情報及び広告主情報を前記実施例１及び実施例２同様にＷｅｂサーバ２において各処理を行うようにしても良い。
尚、該テーブルデータとの照合方法は、既にパーソナルコンピュータのプログラムとして一般的に用いられている手法を用いるだけなので詳説しない。
【００７７】
上記中間サーバは、取得した所在地情報及び広告情報からＷｅｂサーバ２における地図を生成して携帯電話に送信するまでを行うように形成したが、中間サーバをＷｅｂサーバ２とは独立したサーバとしてネットワーク上に存在させても良い。そして、独立して存在させた中間サーバは、前記同様に携帯電話から二次元コードによって所在地情報及び広告主情報を特定可能な広告特定情報を受領すると、広告特定情報に含まれる電柱番号情報を取得し、前記変換テーブルデータと該電柱番号情報とを照合する。この照合の結果、電柱番号情報に紐付けて記憶されている所在地情報及び広告主情報を取得する。
その後、中間サーバから携帯電話へ取得した所在地情報及び広告主情報を送信し、携帯電話に広告特定情報から特定された所在地情報及び広告主情報を取得させる。
そして、携帯電話では、中間サーバから広告特定情報によって特定された所在地情報及び広告主情報を取得して後、実施例１及び実施例２においてＱＲコード１３を取得して後に行うのと同様にＷｅｂサーバ２へアクセスし、地図情報を実施例１及び実施例２と同様に携帯電話で取得するようにしても良い。
尚、上記中間サーバにおける携帯電話への所在地情報及び広告主情報の送信等の各手段は、既に一般的に実施されているので詳説しないが、Ｗｅｂサーバ２による携帯電話との通信と同様な手段を備えて行えば足りる。
【００７８】
尚、上記実施例では、ＱＲコードを利用して広告主情報および所在地情報を取得するように形成しているが、例えば、携帯端末に所謂ＩＣタグを読み取るような機能を備えさせ、広告に内蔵した非接触型のＩＣタグから広告主情報および所在地情報を取得可能に構成することも可能であり、この場合には、携帯端末がＩＣタグに電力を供給して情報の取得を行う。また、広告に電力自給型のＩＣタグでは、電柱等に太陽電池および蓄電池を備えておけば、携帯端末の電力をＩＣタグへの電力供給に使用することなく利用することが出来る。
【産業上の利用可能性】
【００７９】
この発明は、電柱等所在地が既知の広告に対して実施可能である。
【図面の簡単な説明】
【００８０】
【図１】広告を表す説明図
【図２】この発明にかかる広告表示システムを表す概略図
【図３】Ｗｅｂサーバを表す説明図
【図４】地図サーバを表す説明図
【図５】処理サーバを表す説明図
【図６】携帯電話端末を表す説明図
【図７】実施例のフローチャート
【図８】携帯電話端末Ａの表示例を表す説明図
【図９】実施例のフローチャート
【図１０】実施例のフローチャート
【図１１】携帯電話端末Ａの表示例を表す説明図
【図１２】携帯電話端末Ａの表示例を表す説明図
【図１３】携帯電話端末Ａの表示例を表す説明図
【図１４】実施例２を表すフローチャート
【符号の説明】
【００８１】
１  広告
１１  広告表示
１３  ＱＲコード
１４  公共表示部
２  Ｗｅｂサーバ
２１  入出力手段
２２  広告主データ記憶部
２３  Ｗｅｂ処理手段
２４  ＱＲデータ記憶域
２５  表示画面生成手段
３  地図サーバ
４  処理サーバ
４１  現在所在地記憶部
４２  広告主所在地記憶部
４３  地図範囲特定手段
４４  地図作成手段
【図１】
2008181504.tif 000003
【図２】
2008181504.tif 000004
【図３】
2008181504.tif 000005
【図４】
2008181504.tif 000006
【図５】
2008181504.tif 000007
【図６】
2008181504.tif 000008
【図７】
2008181504.tif 000009
【図９】
2008181504.tif 000010
【図１０】
2008181504.tif 000011
【図１４】
2008181504.tif 000012
【図８】
2008181504.tif 000013
【図１１】
2008181504.tif 000014
【図１２】
2008181504.tif 000015
【図１３】
2008181504.tif 000016